(57)【要約】【課題】自動火災報知設備における炙り試験の作業効率を改善させる。【解決手段】受信機１０は、表示線（Ｌ）の各々に対応する点検復帰時間として、複数の時間設定値が登録された復帰時間登録部１７を備え、点検モード中は、表示線（Ｌ）を監視して発報信号を検知すると応答信号を出力し、該発報信号を検知した時点から復帰時間登録部１７に登録されている該表示線の点検復帰時間が経過した時に該表示線を復帰させる点検応答動作を繰り返す。【選択図】図１
2015153052.tif 000002
【特許請求の範囲】
【請求項１】
表示線の点検作業に対してベル線に応答信号を出力する点検モードが用意された受信機において、
表示線の各々に対応する点検復帰時間として、複数の時間設定値が登録された復帰時間登録部を備え、
前記点検モード中は、表示線を監視して発報信号を検知すると応答信号を出力し、該発報信号を検知した時点から前記復帰時間登録部に登録されている該表示線の点検復帰時間が経過した時に該表示線を復帰させる点検応答動作を繰り返すことを特徴とする受信機。
【請求項２】
請求項１において、
前記応答信号は、表示線毎に規定された出力パターンに従って出力され、
前記復帰時間登録部は、前記点検復帰時間として、表示線毎に、前記出力パターンの時間長さに応じた時間設定値が登録されていることを特徴とする受信機。
【請求項３】
請求項１において、
前記応答信号は、表示線毎に規定された出力パターンに従って出力され、
前記復帰時間登録部は、前記点検復帰時間として、表示線グループ毎に、前記出力パターンの時間長さに応じた時間設定値が登録されていることを特徴とする受信機。
【請求項４】
請求項１−３のいずれか１項において、
前記時間設定値の変更操作を受け付ける操作部を更に備えることを特徴とする受信機。
【請求項５】
請求項１−４のいずれかに記載の受信機を備え、前記表示線に感知器を接続し、前記ベル線に地区音響装置を接続してなる自動火災報知設備。
【発明の詳細な説明】
【技術分野】
【０００１】
本発明は、表示線を監視して火災発生時には地区音響装置を鳴動させる受信機の改良に関する。
【背景技術】
【０００２】
前記のような火災受信機を用いて自動火災報知設備の施工又はリニューアルをする際には、その竣工時に、感知器の表示線への取り付け、表示線の受信機への接続が仕様書通りになっているかを、感知器の一つ一つを炙り試験することによって確認する必要がある。
【０００３】
そのような表示線の点検は通常複数の作業員によって行われるが、それを一人の作業員で行えるようした従来技術の例として次の特許文献１を挙げることができる。すなわち特許文献１には、点検モードでは、点検作業への応答として、発報した表示線の回線番号を地区音響装置の鳴動回数によって示すことが記載されている。例えば回線番号「３」を示すために地区音響装置が３回鳴動される。
【先行技術文献】
【特許文献】
【０００４】
【特許文献１】特開2000-099845号公報
【発明の概要】
【発明が解決しようとする課題】
【０００５】
前記のように発報した表示線の回線番号を地区音響装置の鳴動回数で示す構成とされた受信機は既に市販されているが、それらにおいて、点検作業のインターバルを規定する点検復帰時間は、地区音響装置の最大鳴動回数に適合するように定められている。例えば回線数が１０であれば、点検復帰時間は、地区音響装置の１０回の鳴動に必要とされる時間（約１０秒）とされ、回線数が２０であれば、点検復帰時間は、地区音響装置の２０回の鳴動に必要とされる時間（約２０秒）とされる。受信機は、点検作業に対して一旦応答すると、この点検復帰時間が経過するまで、次の点検作業に対して応答しない。
【０００６】
そしてこの点検復帰時間は、同一の受信機内では回線番号によらず一定とされているから、回線番号が若い場合、鳴動が終わってからの無音の待ち時間が長く、作業効率を悪くする要因になっていた。本発明は、このような問題に着目してなされたものであり、炙り試験の作業効率を改善させることを目的としている。
【課題を解決するための手段】
【０００７】
本発明は、表示線の点検作業に対してベル線に応答信号を出力する点検モードが用意された受信機において、表示線の各々に対応する点検復帰時間として、複数の時間設定値が登録された復帰時間登録部を備え、前記点検モード中は、表示線を監視して発報信号を検知すると応答信号を出力し、該発報信号を検知した時点から前記復帰時間登録部に登録されている該表示線の点検復帰時間が経過した時に該表示線を復帰させる点検応答動作を繰り返すことを特徴とする。
【０００８】
前記応答信号は、表示線毎に規定された出力パターンに従って出力され、前記復帰時間登録部は、前記点検復帰時間として、表示線毎に、前記出力パターンの時間長さに応じた時間設定値が登録されていてもよい。
【０００９】
前記応答信号は、表示線毎に規定された出力パターンに従って出力され、前記復帰時間登録部は、前記点検復帰時間として、表示線グループ毎に、前記出力パターンの時間長さに応じた時間設定値が登録されていてもよい。
【００１０】
前記受信機は、前記時間設定値の変更操作を受け付ける操作部を更に備えていてもよい。
【００１１】
また本発明は、前記受信機を備えた自動火災報知設備であって、前記表示線に感知器を接続し、前記ベル線に地区音響装置を接続してなることを特徴とする。
【発明の効果】
【００１２】
本発明によれば、点検復帰時間が平均して短縮され、炙り試験の作業効率が改善される。
【図面の簡単な説明】
【００１３】
【図１】本発明の実施形態の一例とされる受信機のブロック図である。
【図２】前記受信機を用いて構成された自動火災報知設備のシステム図である。
【図３】応答信号の出力パターン、点検復帰時間に関する登録の一例を示すテーブルである。
【図４】（ａ）−（ｆ）はいずれも前記登録に従った受信機の応答動作を示す波形図である。
【図５】応答信号の出力パターン、点検復帰時間に関する登録の他例を示すテーブルである。
【図６】（ａ）−（ｆ）はいずれも前記登録に従った受信機の応答動作を示す波形図である。
【図７】応答信号の出力パターン、点検復帰時間に関する登録の更に他例を示すテーブルである。
【図８】（ａ）−（ｆ）はいずれも前記登録に従った受信機の応答動作を示す波形図である。
【発明を実施するための形態】
【００１４】
以下、本発明の実施形の一例を図に従って説明する。
【００１５】
図１は本発明に係る受信機の基本構成の一例を示すブロック図である。ここに受信機はＰ型のものを想定しているが、本発明は、Ｒ型受信機にも同様に適用できる。
【００１６】
受信機１０には、入力端子Ｌに接続された表示線を監視する監視回路１１と、出力端子Ｂに接続されたベル線に制御信号を出力する出力回路１２と、操作部１３と、主音響を出力する音響回路１４と、地区表示を行う表示部１５と、これらを制御する制御回路部１６とが設けられている。
【００１７】
本発明は、自動火災報知設備の施工又はリニューアル時、また定期的になされる感知器炙り試験の作業効率を向上させることを趣旨とする。なお、炙り試験は、受信機１０を点検モードとして、表示線毎に接続されている感知器の１つ１つに炙り器（図示なし）等によって熱又は煙を与えて受信機１０の応答動作を確認する点検である。
【００１８】
そのため受信機１０には、発明に係る要素として、表示線の各々に対応する点検復帰時間として、複数の時間設定値が登録された復帰時間登録部１７が設けられている。
【００１９】
図２は、前記受信機を用いて構成された自動火災報知設備のシステム図である。
【００２０】
図２に示すように、受信機１０はその筐体１０ａの正面上部に、電源の状態、警戒状態、トラブル発生を報知する状態ランプ１５ａが設けられ、その下に、液晶パネルで構成された表示窓１５ｂと、火災ランプと、発信機ランプ等の緊急ランプ１５ｃとが設けられている。更にその下には、受信機音響停止キー、地区ベル停止キー、解除キー、復旧キー等の主操作キー１３ａが設けられている。更にその下には、受信機１０の初期設定等を行うための副操作キー１３ｂが設けられている。副操作キー１３ｂは初期設定や試験時以外では誤操作されないように保護パネル１０ｂで隠されるようになっている。筐体１０ａの背面部には、表示線（Ｌ）等の導入口が設けられ、その奥に入力端子Ｌや出力端子Ｂを集合させた端子台等が配置されている（図示なし）。
【００２１】
表示窓１５ｂは、受信機１０の初期設定では、ガイド画面等を表示して操作方法等を案内するが、警戒状態あるいは警報状態では主に地区表示を行う。
【００２２】
受信機１０は、自動火災報知設備１を構成するため、複数の感知器２０が複数系統の表示線（Ｌ）によって受信機１０の入力端子Ｌ１、Ｌ２に接続されている。更に、複数の地区音響装置３０Ａがベル線（Ｂ）によって受信機１０の出力端子Ｂ１に接続され、防排煙設備３０Ｂがベル線（Ｂ）によって受信機１０の出力端子Ｂ２に接続されている。なお表示線（Ｌ）には感知器２０の他、発信機２１や終端抵抗器２２が接続されている。
【００２３】
次いで、自動火災報知設備１の基本的な作用を説明する。
【００２４】
受信機１０の施工又はリニューアル後、防災係員が、初期設定として、表示窓１５ｂに表示されるガイド画面に従って各種設定登録を行う。具体的には、入力端子Ｌ毎の使用／不使用、出力端子Ｂ毎の使用／不使用、入力端子Ｌと設備機器３０との連動関係等の設定、登録を行う。
【００２５】
そのような初期設定の後、炙り試験等を行うため、受信機１０は、副操作キー１３ｂの操作等によって点検モードとされる。
【００２６】
点検モード中、受信機１０は、表示線（Ｌ）を監視して発報信号を検知するとベル線（Ｂ）に応答信号を出力し、該発報信号を検知した時点から、復帰時間登録部１７に登録されている該表示線（Ｌ）の点検復帰時間が経過した時に該表示線（Ｌ）を復帰させる点検応答動作を繰り返す。
【００２７】
このとき応答信号は、点検復帰時間の経過中、表示線（Ｌ）毎に規定された出力パターンに従って出力され、地区音響装置３０Ａは、その出力パターンに合わせて鳴動する。出力パターンは特に制限されないが、出力パターン（地区音響装置３０Ａの鳴動パターン）から表示線（Ｌ）の回線番号が判別できるとよい。例えば、発報した表示線（Ｌ）の回線番号を、地区音響装置３０Ａの鳴動回数によって示してもよい。このとき表示窓１５ｂでも、発報した表示線（Ｌ）を地区表示するとよい。
【００２８】
本発明では、炙り試験の作業効率を向上させるため、出力パターンの時間長さが８秒であれば、点検復帰時間は９秒というように、点検復帰時間を、応答信号の出力パターンの時間長さに応じた時間設定値とする。これによって、地区音響装置３０Ａが鳴動し終えた後の無音の待ち時間が抑えられ、特に若い回線番号の表示線（Ｌ）において炙り試験の作業効率が大幅に改善される。
【００２９】
点検復帰時間は、表示線（Ｌ）毎に時間設定値を異ならせてもよい。このとき復帰時間登録部１７には、表示線（Ｌ）の各々に対応する点検復帰時間として、表示線（Ｌ）毎に、応答信号の出力パターンの時間長さに応じた時間設定値が登録される。
【００３０】
例えば、受信機１０の回線数が１０であり、回線番号１、２、…１０の表示線（Ｌ）に対して点検復帰時間としてそれぞれ１、２、…１０秒が登録されている場合、点検復帰時間の全体的な平均値は５．５秒になる。これを、回線番号１、２、…１０の表示線（Ｌ）の全てに対して共通の点検復帰時間として例えば１０秒が登録されている従来構成と対比すれば、１回の試験作業が平均して４．５秒短縮されることになるので、作業全体で見れば相当な時間が短縮される。
【００３１】
あるいは、点検復帰時間は、表示線グループ毎に時間設定値を異ならせてもよい。このとき復帰時間登録部１７は、点検復帰時間として、表示線グループ毎に、応答信号の出力パターンの時間長さに応じた時間設定値が登録される。例えば受信機１０の回線数が１０であり、回線番号１、２、…５の表示線（Ｌ）のグループに対して点検復帰時間として５秒、回線番号５、６、…１０の表示線（Ｌ）のグループに対して１０秒が登録されている場合、点検復帰時間の平均値は７．５秒になる。
【００３２】
点検復帰時間の時間設定値は、操作部１３の操作によって変更できるようにしてもよい。
【００３３】
前記のような初期設定や炙り試験のあと、受信機１０は、副操作キー１３ｂの操作等によって警戒モード（通常モード）とされる。警戒モードでは、受信機１０は、表示線（Ｌ）の発報信号及び断線異常を監視する。火災によっていずれかの感知器２０が作動すると、受信機１０は、その作動による発報信号を検出して蓄積処理を開始する。この時点で、地区表示中の対応した箇所は蓄積中に変更される。なお蓄積処理は、所定時間、表示線（Ｌ）を復帰させて発報信号を再検出する動作を繰り返すことで、発報を蓄積する処理である。
【００３４】
そこで発報が一定量蓄積された場合、受信機１０は火災を判断して、火災ランプを点灯し、地区表示の対応箇所を火災中に変更するとともに、「ピーピー、感知器が作動しました。現場を確認してください」等の主音響を開始する。更に受信機１０は、連動設定されている地区音響装置３０Ａを制御して、地区音響を開始する。
【００３５】
防災係員は、受信機音響停止キー、地区音響停止キー等を操作し、現場を確認する。それらの操作を受けて、受信機１０は、主音響や地区音響を停止する。防災係員は、誤報を確認すれば、復旧キーを操作する。これを受けて受信機１０は、火災ランプや地区表示を元に戻すとともに、発報した表示線（Ｌ）を復帰させる。
【００３６】
一方、火災を判断してから所定時間が経過するまでに、復旧キーが操作されないときは、受信機１０は、停止していた主音響や地区音響を再開する。時間経過による連動関係が設定されていれば、このとき受信機１０は防排煙設備３０Ｂ等を作動させる。
【００３７】
防災係員は、火災確認、１１９番通報、避難誘導等を行い、その後消火を確認してから、復旧キーを操作する。これを受けて受信機１０は、主音響、地区音響を中止して、火災ランプや地区表示を元に戻し、発報した表示線（Ｌ）を復帰させ、防排煙設備３０Ｂ等の作動を中止させる。
【００３８】
次いで、炙り試験に対する受信機の具体的な応答動作を、いくつかの例について順番に説明する。
【００３９】
第１の例では、応答信号の出力パターンは、発報した表示線の回線番号を地区音響装置の鳴動回数によって示すものとし、点検復帰時間は表示線毎に異なる時間設定値とされていることを想定する。
【００４０】
図３は、第１の例における応答信号の出力パターン、点検復帰時間に関する登録を示すテーブルである。テーブル中の「Ｓ」は地区音響装置の短鳴動１回に相当するサブパターンを示し、このサブパターンによって地区音響装置は「ジリジリ」と短く鳴動する。
【００４１】
テーブルＴ１では、例えば回線番号１の表示線に対する応答信号は短鳴動１回、点検復帰時間は３秒とされ、回線番号２の表示線に対する応答信号は短鳴動２回、点検復帰時間は４秒とされている。他の表示線も同様である。テーブルＴ１における点検復帰時間の平均値は６．５秒になり、炙り試験の作業効率が改善されている。
【００４２】
図４（ａ）−（ｆ）は、前記登録に従った受信機の応答動作を示す波形図である。すなわち図４（ａ）−（ｆ）はそれぞれ回線番号１−６の表示線における信号レベルの時間変化と、ベル線における応答信号の出力状態の時間変化を波形で示している。表示線は通常ハイレベルであり、感知器が作動して発報するとローレベルになる。
【００４３】
なお図中、下向き矢印は炙り試験のタイミングを示し、横向き矢印は点検復帰時間の長さを示している。また「Ｓ」付の楕円マークは、地区音響装置の短鳴動１回に対応する応答信号の出力を示している。
【００４４】
例えば図４（ａ）に示す応答動作では、炙り試験によって表示線が発報（ローレベル）した時点から点検復帰時間の３秒が経過した時に、表示線が復帰（ハイレベル）されている。回線番号１の表示線の発報に対する応答信号として、点検復帰時間の経過中に短鳴動１回の出力が行われている。
【００４５】
また図４（ｂ）に示す応答動作では、炙り試験によって表示線が発報した時点から点検復帰時間の４秒が経過した時に、表示線が復帰されている。回線番号２の表示線の発報に対する応答信号として、点検復帰時間の経過中に短鳴動２回の出力が行われている。図４（ｃ）−（ｆ）に示す応答動作も同様である。
【００４６】
第２の例では、応答信号の出力パターンを、地区音響装置の短鳴動１回に相当するサブパターンと、長鳴動１回に相当するサブパターンとの組合せとしている点が特徴である。長鳴動１回は、短鳴動５回に相当するものとする。すなわち第１の例において短鳴動７回の場合、第２の例では長鳴動１回プラス短鳴動２回（５＋２）になる。地区音響装置は、短鳴動では「ジリジリ」と短く鳴動するのに対し、長鳴動では「ジリジリジリジリ」と長く鳴動する。
【００４７】
図５は、第２の例における応答信号の出力パターン、点検復帰時間に関する登録を示すテーブルである。テーブル中の「Ｓ」は地区音響装置の短鳴動１回に相当する出力パターン、「Ｌ」は地区音響装置の長鳴動１回に相当する出力パターンを示している。
【００４８】
テーブルＴ２では、例えば回線番号１の表示線に対する応答信号は短鳴動１回、点検復帰時間は３秒とされている。また回線番号６の表示線に対する応答信号は長鳴動１回プラス短鳴動１回、点検復帰時間は５秒とされている。他の表示線も同様である。テーブルＴ２における点検復帰時間の平均値は７．４秒になり、炙り試験の作業効率が改善されている。
【００４９】
図６（ａ）−（ｆ）は、前記登録に従った受信機の応答動作を示す波形図である。すなわち図６（ａ）−（ｆ）はそれぞれ回線番号１−６の表示線における信号レベルの時間変化と、ベル線における応答信号の出力状態の時間変化を波形で示している。また「Ｓ」付の楕円マークは、地区音響装置の短鳴動１回に対応する応答信号の出力を、「Ｌ」付の楕円マークは長鳴動１回に対応する応答信号の出力を示している。
【００５０】
例えば図６（ａ）に示す応答動作では、炙り試験によって表示線が発報した時点から点検復帰時間の３秒が経過した時に、表示線が復帰されている。回線番号１の表示線の発報に対する応答信号として、点検復帰時間の経過中に短鳴動１回の出力が行われている。
【００５１】
また図６（ｆ）に示す応答動作では、炙り試験によって表示線が発報した時点から点検復帰時間の５秒が経過した時に、表示線が復帰されている。回線番号６の表示線の発報に対する応答信号として、点検復帰時間の経過中に長鳴動１回プラス短鳴動１回の出力が行われている。図６（ｂ）−（ｅ）に示す応答動作も同様である。
【００５２】
第３の例では、点検復帰時間は表示線のグループ毎に異なる時間設定値とされている点が特徴である。応答信号の出力パターンを、区音響装置の短鳴動１回に相当するサブパターンと、長鳴動１回に相当するサブパターンとの組合わせとしている点は第２の例と同様である。
【００５３】
図７は、第３の例における応答信号の出力パターン、点検復帰時間に関する登録を示すテーブルである。
【００５４】
テーブルＴ３では、例えば回線番号１−７の表示線グループに対する点検復帰時間は６秒とされ、回線番号８−１３の表示線グループに対する点検復帰時間は９秒とされ、回線番号１４−２０の表示線グループに対する点検復帰時間は１２秒とされている。テーブルＴ３における点検復帰時間の平均値は９秒になり、炙り試験の作業効率が改善されている。
【００５５】
図８（ａ）−（ｆ）は、前記登録に従った受信機の応答動作を示す波形図である。すなわち図６（ａ）−（ｆ）はそれぞれ回線番号１、７、８、１３、１４、２０の表示線における信号レベルの時間変化と、ベル線における応答信号の出力状態の時間変化を波形で示している。
【００５６】
例えば図８（ａ）に示す動作では、炙り試験によって表示線が発報した時点から点検復帰時間の６秒が経過した時に、表示線が復帰されている。回線番号１の表示線の発報に対する応答信号として、点検復帰時間の経過中に短鳴動１回の出力が行われている。
【００５７】
また図６（ｃ）に示す基本動作は、炙り試験によって表示線が発報した時点から点検復帰時間の９秒が経過した時に、表示線が復帰されている。回線番号８の表示線の発報に対する応答信号として、点検復帰時間の経過中に長鳴動１回プラス短鳴動３回の出力が行われている。
【００５８】
また図６（ｅ）に示す基本動作は、炙り試験によって表示線が発報した時点から点検復帰時間の１２秒が経過した時に、表示線が復帰されている。回線番号１９の表示線の発報に対する応答信号として、点検復帰時間の経過中に長鳴動３回プラス短鳴動４回の出力が行われている。
【符号の説明】
【００５９】
１    自動火災報知設備
１０    受信機
１３    操作部
１７    復帰時間登録部
Ｌ    入力端子
（Ｌ）  表示線
Ｂ    出力端子
（Ｂ）  ベル線
【図１】
2015153052.tif 000003
【図２】
2015153052.tif 000004
【図３】
2015153052.tif 000005
【図４】
2015153052.tif 000006
【図５】
2015153052.tif 000007
【図６】
2015153052.tif 000008
【図７】
2015153052.tif 000009
【図８】
2015153052.tif 000010